(57)【要約】【課題】  簡単な構成の付加で、放尿に伴う汚れの発生を抑制できるようにする。【解決手段】  便器本体１に便座２および便器カバー３を上下揺動可能に設けて洋式便器を構成する。便器本体１の左右両側それぞれの上部側に、水平方向に突出する状態で膝当て部材４を取り付ける。膝当て部材４を、便器本体１の外周面に沿った取り付け部５と、上方側程奥側になるように傾斜して立ち姿勢の放尿者が曲げた状態の膝を当接する膝当て部６と、取り付け部５と膝当て部６とに連なる上下の補強部７とを備えて構成し、取り付け部５をボルト８によって便器本体１に取り付け固定する。これにより、放尿者が放尿する際に、立ち姿勢で曲げた状態の膝を膝当て部６に当接することにより、立ち姿勢の維持を補助し、放尿位置を低くするとともに放尿姿勢を安定させて周囲への飛散といった汚れを発生させずに放尿することができる。【選択図】        図１
2005253748.tif 000002
【特許請求の範囲】
【請求項１】
便器本体の左右両側それぞれに、立ち姿勢の放尿者が曲げた状態の膝を当接して立ち姿勢の維持を補助する膝当て部を設けたことを特徴とする洋式便器。
【請求項２】
請求項１に記載の洋式便器において、
膝当て部を便器本体に一体成形してある洋式便器。
【発明の詳細な説明】
【技術分野】
【０００１】
本発明は、洋式便器に関する。
【背景技術】
【０００２】
洋式便器では、男性が放尿する際に、便器カバーと共に便座を着座位置から上方へ揺動させた状態に切り換えている。
【０００３】
ところが、便器本体やその周囲に放尿してしまい、汚れやすい問題があった。
【０００４】
そこで、従来、次のような洋式便器が提案されている。
（１）第１従来例
腰掛式大便器の背後垂直方向に男子用小便器を配設し、その小便器の底部と大便器とを連通穴を経由して連通させ、大便器の便器蓋を閉じ、大便器を跨ぐことによって小用を足すようにしている。また、大便時には、便器蓋を開いて小便器を覆い隠すようになっている（特許文献１参照）。
（２）第２従来例
Ｕ字状に曲成した上部フレームの両先端にそれぞれ中間フレームを折曲自在に接合し、さらに各中間フレームの両先端にそれぞれ中間フレームを折曲自在に接合して折り畳み可能な逆Ｕ字状の枠体を構成し、その枠体間の全面にわたってふくらみを持たせて柔軟性を有する尿受け膜を張り渡し、上部フレームの両側中間部を便座裏面に取り付け、一方、下部フレームを便器に取り付け、便座を上げて放尿するときに、尿受け膜が尿を弾力的に受け、飛沫を周囲に飛び散らせないように構成している（特許文献２参照）。
（３）第３従来例
周囲壁面や便器の蓋の裏面などに、便器の中央位置に出退可能に支持具を設け、その支持具に、一端を大径の小便受け口に他端を小径の小便落下口としたガイド筒の中間位置を支持させ、便器外周部や便器周囲壁面や床面を汚すことなく放尿できるように構成している。（特許文献３参照）。
【特許文献１】特開２００３−２１３７７２号公報（図１、図２、図３、図４）
【特許文献２】特開２００３−７４１０６号公報（図１、図２）
【特許文献３】特開２００１−１６１７３４号公報（図１、図２、図３）
【発明の開示】
【発明が解決しようとする課題】
【０００５】
しかしながら、従来例のものでは、それぞれ次のような欠点があった。
（１）第１従来例の欠点
便器全体が大きくなり、その設置スペースが大きくなる欠点があった。また、便器蓋の上を汚しやすいなど、汚れの問題をさほど改善できない欠点があった。
（２）第２従来例の欠点
放尿時に方向性が定まらずに便器の周囲外に放尿した場合には対処できず、そのうえ、大掛かりな構成部材を付設するために、便器内を掃除するときに掃除しづらく、汚れの問題を改善できているとはいい難いものであった。
（３）第３従来例の欠点
放尿のたびに、支持具を出退したり、その支持具にガイド筒を支持させたり取り外したしなければならず、極めて煩わしい欠点があった。また、清掃時などにガイド筒を洗浄しなければならず、使い勝手が悪い欠点があった。
【０００６】
本発明は、上記の点に鑑みてなされたものであって、請求項１に係る発明は、簡単な構成の付加で、放尿に伴う汚れの発生を抑制できるようにすることを目的とし、請求項２に係る発明は、設置を簡単かつ強固にできるようにすることを目的とする。
【課題を解決するための手段】
【０００７】
請求項１に係る発明の洋式便器は、上述のような目的を達成するために、
便器本体の左右両側それぞれに、立ち姿勢の放尿者が曲げた状態の膝を当接して立ち姿勢の維持を補助する膝当て部を設けて構成する。
【０００８】
（作用・効果）
請求項１に係る発明の洋式便器の構成によれば、便器本体の左右両側それぞれに膝当て部を設けるだけでありながら、放尿者の膝を曲げた状態の立ち姿勢の維持を補助し、放尿位置を低くするとともに放尿姿勢を安定させて便器本体内に放尿しやすくできる。
【０００９】
したがって、簡単な構成の付加で、高さ方向および左右前後方向で位置を安定させて放尿できるから、放尿の際の尿の便器本体の外周への飛散を防止でき、放尿に伴う汚れ発生を抑制できる。
【００１０】
そのうえ、放尿姿勢を安定化できるから、落ち着いて放尿できる。
【００１１】
しかも、放尿を受ける箇所に特別な部材を設けないから、位置変更や特別な部材の洗浄といった新たな手間が不要であり、煩わしさも無く、極めて実用性に優れる。
【００１２】
また、請求項２に係る発明は、前述のような目的を達成するために、
請求項１に記載の洋式便器において、
膝当て部を便器本体に一体成形して構成する。
【００１３】
（作用・効果）
請求項２に係る発明の洋式便器の構成によれば、膝当て部が便器本体と一体であるから、洋式便器の設置後に膝当て部を取り付けたりせずに済み、簡単に設置できる。
【発明の効果】
【００１４】
請求項１に係る発明の洋式便器の構成によれば、便器本体の左右両側それぞれに膝当て部を設けるだけでありながら、放尿者の膝を曲げた状態の立ち姿勢の維持を補助し、放尿位置を低くするとともに放尿姿勢を安定させて便器本体内に放尿しやすくできるから、簡単な構成の付加で、高さ方向および左右前後方向で位置を安定させて放尿できるから、放尿の際の尿の便器本体の外周への飛散を防止でき、放尿に伴う汚れ発生を抑制できる。
【００１５】
そのうえ、放尿姿勢を安定化できるから、落ち着いて放尿できる。
【００１６】
しかも、放尿を受ける箇所に特別な部材を設けないから、位置変更や特別な部材の洗浄といった新たな手間が不要であり、煩わしさも無く、極めて実用性に優れる。
【発明を実施するための最良の形態】
【００１７】
次に、この発明の実施例について図面を参照しながら説明する。
【実施例１】
【００１８】
図１の（ａ）は、本発明に係る洋式便器の実施例１を示す側面図、図１の（ｂ）は平面図、図１の（ｃ）は背面図であり、便器本体１に便座２および便器カバー３が上下揺動可能に設けられて洋式便器が構成されている。
【００１９】
便器本体１の左右両側それぞれの上部側に、水平方向に突出する状態で膝当て部材４が取り付けられている。
【００２０】
膝当て部材４は、便器本体１の外周面に沿った取り付け部５と、上方側程奥側になるように傾斜して立ち姿勢の放尿者が曲げた状態の膝を当接する膝当て部６と、取り付け部５と膝当て部６とに連なる上下の補強部７とを備えて構成され、取り付け部５が４本のボルト８によって便器本体１に取り付け固定されている。膝当て部６の表面は、浅い溝を縦横に形成するとか、ゴムシートなどのクッション材が付設されて、滑り止めが施されている。上記膝当て部材４の全体を、滑り止め可能な材質のカバーで脱可能に覆うようにしても良い。
【００２１】
上気構成により、放尿者が放尿する際に、立ち姿勢で曲げた状態の膝を膝当て部６に当接することにより、立ち姿勢の維持を補助し、放尿位置を低くして周囲への飛散といった汚れを発生させずに放尿することができる。
【実施例２】
【００２２】
図２の（ａ）は、本発明に係る洋式便器の実施例２を示す側面図、図２の（ｂ）は平面図、図２の（ｃ）は正面図であり、実施例１と異なるところは、次の通りである。
【００２３】
すなわち、便器本体１の左右両側それぞれの上部側に、水平方向に突出する状態で膝当て部６が一体成形されている。他の構成は実施例１と同じであり、同一図番を付すことによりその説明は省略する。
【実施例３】
【００２４】
図３の（ａ）は、本発明に係る洋式便器の実施例３を示す側面図、図３の（ｂ）は平面図、図３の（ｃ）は正面図であり、実施例１と異なるところは、次の通りである。
【００２５】
すなわち、便器本体１の左右両側それぞれの上部側に、膝当て部６を備えた膝当て部材４が１本のボルト８ａによって取り付け固定されている。他の構成は実施例１と同じであり、同一図番を付すことによりその説明は省略する。
【実施例４】
【００２６】
図４の（ａ）は、本発明に係る洋式便器の実施例４を示す側面図、図４の（ｂ）は正面図であり、実施例２と異なるところは、次の通りである。
【００２７】
すなわち、便器本体１の左右両側それぞれの上部側に、水平方向に突出するとともに、便座２および便器カバー３の着座の邪魔にならないように便器本体１の上面より上方に突出する状態で膝当て部６が一体成形されている。他の構成は実施例２と同じであり、同一図番を付すことによりその説明は省略する。
【００２８】
この実施例４の構成によれば、放尿の際に膝を当接可能な上下幅を拡大するとともに、放尿後に膝を伸張する際に膝当て部６の上部側を手で押して反動を付け、膝を伸ばしやすい利点を有している。
【００２９】
また、便座２に座って用を足した後に立ち上がる場合に、膝当て部６の上部側を手で押して反動を付けることにより、立ち上がり動作を容易に行うことができる。
【図面の簡単な説明】
【００３０】
【図１】（ａ）は、本発明に係る洋式便器の実施例１を示す側面図、（ｂ）は平面図、（ｃ）は背面図である。
【図２】（ａ）は、本発明に係る洋式便器の実施例２を示す側面図、（ｂ）は平面図、（ｃ）は正面図である。
【図３】（ａ）は、本発明に係る洋式便器の実施例３を示す側面図、（ｂ）は平面図、（ｃ）は正面図である。
【図４】（ａ）は、本発明に係る洋式便器の実施例４を示す側面図、（ｂ）は正面図である。
【符号の説明】
【００３１】
１…便器本体
６…膝当て部
【図１】
2005253748.tif 000003
【図２】
2005253748.tif 000004
【図３】
2005253748.tif 000005
【図４】
2005253748.tif 000006